(57)【要約】【課題】電気配線を配管カバー部材の背面に通す場合でも、洗面台の前方から電気配線の取り回しが容易な立壁付き洗面台を提供する。【解決手段】背面が建築壁と隙間を空けて対向するよう立設される立壁と、立壁の前面に取付けられた吐水ユニット及び電動ユニットと、カウンターと、を有する立壁付き洗面台において、立壁には貫通孔が形成されており、吐水ユニットは給水配管を、電動ユニットは電気配線を夫々有し、給水配管及び電気配線は貫通孔の前面側から挿入されて立壁の背面側に配設され、給水配管を貫通孔に挿入する際に、給水配管の端部が建築壁に干渉することを抑制するよう構成された配管カバー部材と、を備え、配管カバー部材は、可撓性を有し、電気配線を配管カバー部材の背面側からカウンターの下方へ配設するために、配管カバー部材の一部を弾性変形させることによって前方から前後方向に捲ることが可能となるよう構成されている。【選択図】図２
2019063053.tif 000002
【特許請求の範囲】
【請求項１】
背面が建築壁と隙間を空けて対向するよう立設される立壁と、前記立壁の前面に取付けられた吐水ユニット及び電動ユニットと、前記吐水ユニットから吐水された水を受けるボウルを有するカウンターと、を有する立壁付き洗面台において、
前記立壁には、前記立壁の前面と背面とをつなぐ貫通孔が形成されており、
前記吐水ユニットは、水を供給する給水配管を有し、前記給水配管は前記貫通孔の前面側から挿入されて前記立壁の背面側に配設され、
前記電動ユニットは、電力を供給する電気配線を有し、前記電気配線は前記貫通孔の前面側から挿入されて前記立壁の背面側に配設され、
前記給水配管を前記貫通孔に挿入する際に、前記給水配管の端部が前記建築壁に干渉することを抑制するよう前記立壁の背面側に取付けられた配管カバー部材と、を備え、
前記配管カバー部材は、可撓性を有し、前記電気配線を前記配管カバー部材の背面側から前記カウンターの下方へ配設するために、前記配管カバー部材の一部を弾性変形させることによって前方から前後方向に捲ることが可能となるよう構成されていることを特徴とする立壁付き洗面台。
【請求項２】
前記配管カバー部材は、下方側が前方へ向かって捲れるように構成した請求項１記載の立壁付き洗面台。
【請求項３】
前記配管カバー部材の背面は、前記配管カバー部材を前記建築壁に当接させた際に、左右方向に渡って前記建築壁に当接しないよう構成された凹み空間を設けた請求項２記載の立壁付き洗面台。
【請求項４】
前記貫通孔は、前記給水配管用の第一の貫通孔と、前記電気配線用の第二の貫通孔とを有し、
前記配管カバー部材は、前記第一の貫通孔に挿入された前記給水配管が、前記配管カバー部材の前方を通過し、前記第二の貫通孔に挿入された前記電気配線が、前記配管カバー部材の側方及び/又は後方を通過するように構成された請求項１乃至３のいずれか１項に記載の立壁付き洗面台。
【発明の詳細な説明】
【技術分野】
【０００１】
本発明の態様は、一般的に、立壁付き洗面台に関する。
【背景技術】
【０００２】
洗面化粧台等、手洗いや水汲みに使用する水をカウンターに設けられたボウルで受ける洗面台では、そのボウルに近接して設けられる立壁に水栓装置を取り付ける構造が広く採用されている。
【０００３】
立壁付き洗面台は、一般的に、その背面が建築壁に当接するよう設置される。したがって、ボウルとその奥側に立設する立壁とを有する洗面台を、その背面が建築壁に当接するように配置した場合、給水配管は、洗面台の立壁と建築壁との間に形成される隙間に配設されることになる。
【０００４】
ところで、建築壁と立壁との距離を短くすれば洗面化粧台をすっきりした見栄えとする
ことができる。そのためには、上記隙間を小さく構成することが好ましい。しかしながら
、上記隙間を小さくしすぎると、洗面化粧台の背面を建築壁に当接するよう設置した後では、その小さな隙間で給水配管を取り回すのが困難となる。
【０００５】
しかしながら、法規上、水道配管からの給水が可能となるよう給水配管の配設作業を行えるのは、所定の資格を有する者（水道工事有資格者）に限られる。洗面化粧台の商流が水道工事有資格者を経由しない場合もあり、洗面化粧台を設置する設置業者（水道工事無資格者）と、給水配管を配設する配設業者（水道工事有資格者）が異なる場合が多々ある。このような場合には、まず設置業者が洗面化粧台を現場に搬入し、一旦洗面化粧台を建築壁に当接させた上で固定する。その固定作業とは別のタイミングで、配設業者が洗面化粧台を建築壁に固定しているネジを取り外し、洗面化粧台を建築壁から引き離した上で給水配管の配設作業を行い、その後、洗面化粧台を建築壁に当接させて再固定しなければならない。
【０００６】
上記のような煩雑な作業を回避するために、先に設置業者が建築壁に当接させて設置し
ておいた洗面化粧台を移動させることなく、前面側から立壁に形成された貫通孔に給水配管を挿入することで、給水配管を立壁と建築壁の間の隙間に配設し、給水配管をカウンターの下方へ通し、カウンターの下方で建築壁から延びる配管と接続する方法が考えられる。しかしながら、かかる方法では、建築壁と立壁との距離が短い場合には、挿入された給水配管が建築壁と干渉し、建築壁を削ってしまうというおそれがあった。
【０００７】
例えば特開２０１５−５４１６３号公報（以下、特許文献１）では、上記課題に対し、洗面台の立壁の背面に硬質の配管カバー部材を設ける構成が知られている。
【０００８】
一方、近年、洗面台の立壁の前面側にボウルに向かって吐水を行うための吐水部材だけでなく、自動水栓や照明装置などの電力を必要とする部材（電動部材）を取りつけようとする動きがある。その際に、配管カバー部材の内部に電気配線を通してしまうと、電気配線と給水配管が絡まることや、電気配線の漏電の恐れがあり、電気配線は、配管カバー部材の背面を通すことが考えられる。
【先行技術文献】
【特許文献】
【０００９】
【特許文献１】特開２０１５−５４１６３号公報
【発明の概要】
【発明が解決しようとする課題】
【００１０】
しかしながら、洗面台の立壁の前面に電動部材を取付ける場合に、配設業者が洗面台の前面から施工のために電気配線を立壁の背面に設けられた配管カバー部材の背面と建築壁との間に通す。その際に、電気配線を、配管カバー部材を起点に左右方向に位置調整しようとすると、配管カバー部材の背面と建築壁との間の隙間が小さいため、電気配線の取り回しが困難になる課題がある。
【００１１】
本発明は、かかる課題の認識に基づいてなされたものであり、電気配線を配管カバー部材の背面に通す場合でも、洗面台の前方から電気配線の取り回しが容易な立壁付き洗面台を提供することを目的とする。
【課題を解決するための手段】
【００１２】
前記目的を達成するために構成された本発明によれば、背面が建築壁と隙間を空けて対向するよう立設される立壁と、立壁の前面に取付けられた吐水ユニット及び電動ユニットと、吐水ユニットから吐水された水を受けるボウルを有するカウンターと、を有する立壁付き洗面台において、立壁には、立壁の前面と背面とをつなぐ貫通孔が形成されており、吐水ユニットは、水を供給する給水配管を有し、給水配管は貫通孔の前面側から挿入されて立壁の背面側に配設され、電動ユニットは、電力を供給する電気配線を有し、電気配線は貫通孔の前面側から挿入されて立壁の背面側に配設され、給水配管を貫通孔に挿入する際に、給水配管の端部が建築壁に干渉することを抑制するよう立壁の背面側に取付けられた配管カバー部材と、を備え、配管カバー部材は、可撓性を有し、電気配線を配管カバー部材の背面側からカウンターの下方へ配設するために、配管カバー部材の一部を弾性変形させることによって前方から前後方向に捲ることが可能となるよう構成されていることを特徴としている。
【００１３】
この立壁付き洗面台によれば、洗面台の前方から配管カバー部材を前後方向に捲ることができるので、例えば、配管設置業者が洗面台を背面が見えるように移動させることなく給水配管や電気配線を洗面台の前方から接続することができる。
また、配管カバー部材によって、給水配管を貫通孔に挿入する際に給水配管の端部により建築壁が傷つかないようにカバーしつつ、電気配線が漏電しないように給水配管と電気配線とが異なる領域を通過するように区分けすることができる。
したがって、給水配管と電気配線とが異なる領域を通過するようにしつつ、洗面台の前方から容易に電気配線の取り回しをすることができる。
【００１４】
本発明において、好ましくは、さらに、配管カバー部材は、下方側が前方へ向かって捲ることができるように構成している。
【００１５】
この立壁付き洗面台によれば、配管カバー部材は前方に向かって捲ることができるため、配管カバー部材と建築壁との間に隙間を僅かしか確保できない状態であっても、電気配線を取りまわすために、配管カバー部材を捲ることができる。
【００１６】
本発明において、好ましくは、さらに、前記配管カバー部材の背面は、前記配管カバー部材を前記建築壁に当接させた際に、左右方向に渡って前記建築壁に当接しないよう構成された凹み空間を設けている。
【００１７】
この立壁付き洗面台によれば、配管カバー部材の背面は、前記配管カバー部材を前記建築壁に当接させた際に、左右方向に渡って前記建築壁に当接しないよう構成された凹み空間を設けているため、例えば設置業者が建築壁と立壁付き洗面台とが当接するように設置する際に、建築壁と配管カバー部材の背面との間に電気配線が挟まれることで、電気配線が破損することを抑制することができる。
また、例えば設置業者が建築壁と立壁付き洗面台とが当接するように設置し、配管カバー部材と建築壁との間に隙間がないような場合においても、電気配線を通すことができる。
【００１８】
本発明において、好ましくは、さらに、貫通孔は、給水配管用の第一の貫通孔と、電気配線用の第二の貫通孔とを有し、配管カバー部材は、第一の貫通孔に挿入された給水配管が、配管カバー部材の前方を通過し、第二の貫通孔に挿入された電気配線が、配管カバー部材の側方及び/又は後方を通過するように構成している。
【００１９】
この立壁付き洗面台によれば、配管カバー部材は、第一の貫通孔に挿入された給水配管が、配管カバー部材の前方を通過し、第二の貫通孔に挿入された電気配線が、配管カバー部材の側方及び/又は後方を通過するように構成しているため、立壁に形成されたそれぞれの貫通穴に給水配管と電気配線とを挿入する際にも、給水配管と電気配線とが配管カバー部材に対して異なる領域を通過するので、挿入時に給水配管と電気配線とが干渉する恐れがなく、より施工が容易となる。
【発明の効果】
【００２０】
本発明の態様によれば、洗面台の前方から配管カバー部材を前後方向に捲ることができるので、例えば、配管設置業者が洗面台を背面が見えるように移動させることなく給水配管や電気配線を洗面台の前方から接続することができる。
【図面の簡単な説明】
【００２１】
【図１】本発明の実施形態に係る洗面化粧台の斜視図である。
【図２】本発明の実施形態に係る洗面化粧台のカウンター及びキャビネットの断面図である。
【図３】本発明の実施形態による洗面化粧台における水栓装置の吐水系統を示すブロック図である。
【図４】本発明の実施形態に係る洗面化粧台のカウンター及びキャビネットの背面斜視図である。
【図５】本発明の実施形態に係る配管カバー部材の下方領域を洗面化粧台の前方から見た図である。
【図６】本発明の実施形態に係る洗面化粧台の吐水ユニット挿入中の断面図である。
【図７】本発明の実施形態に係る洗面化粧台の水栓装置挿入後の背面図である。
【図８】本発明の実施形態に係る洗面化粧台の配管カバー部材の背面斜視図である。
【発明を実施するための形態】
【００２２】
以下、実施形態について図面を参照しつつ説明する。なお、各図面中、同様の構成要素には同一の符号を付して詳細な説明は適宜省略する。
【００２３】
まず、図１乃至図５を参照して、実施形態にかかる洗面化粧台の構成を説明する。図１は、本発明の実施形態に係る洗面化粧台の斜視図であり、図２は、本発明の実施形態に係る洗面化粧台のカウンター及びキャビネットの断面図であり、図３は、本発明の実施形態による洗面化粧台における水栓装置の吐水系統を示すブロック図であり、図４は、本発明の実施形態に係る洗面化粧台のカウンター及びキャビネットの背面斜視図であり、図５は、本発明の実施形態に係る配管カバー部材を洗面化粧台の前方から見た図である。
【００２４】
図１に示すように、洗面化粧台１は、洗面室床Ｆに載置されるとともに、その背面を洗
面室壁Ｗに当接させて設置されている。洗面化粧台１は、カウンター１０と、化粧鏡ユニット２０と、キャビネット３０と、水栓装置４０を備えている。
【００２５】
カウンター１０は、その背面が洗面室壁Ｗに直接又は固定のための金具等やキャビネッ
ト３０を介して間接的に取り付けられており、略垂直な前面を有する立壁１１と、その立
壁１１の前面側に設けられるボウル１２を有する。立壁１１とボウル１２は、樹脂材料で一体的に形成されている。ボウル１２は椀状に形成され、その内部で水を受けるとともに、その水を貯留することも可能である。図２に示すように、ボウル１２の下面には、受けた水を下方に排出するための排水口１３が形成されており、排出された水は、この排水口１３に接続される排水管（図示せず）によって下水管側に導かれる。
【００２６】
化粧鏡ユニット２０は箱状に形成され、内部に歯ブラシ等を収納可能である。図１に示
すように、化粧鏡ユニット２０は立壁１１上に配置されるとともに、背面が洗面室壁Ｗに
対し直接又は間接的に取り付けられている。また、その前面には、使用者の姿を映す化粧
鏡２１が取り付けられており、その上部には、前方に投光する照明２２を備えている。
なお、化粧鏡ユニット２０の有無は、どちらでもよい。
【００２７】
キャビネット３０は、カウンター１０の下方に配置されており、左右一対の側板３１Ｌ、３１Ｒと、前面を構成する扉３２を備えている。また、図２に示すように、側板３１Ｌ、３１Ｒの下部の間に、それぞれを連結するように底板３３が設けられる。また、図２及び図３に示すように、側板３１Ｌ、３１Ｒの洗面室壁Ｗ側の側部の間には、それぞれを連結するように後横桟３４が設けられている。これら側板３１Ｌ、３１Ｒ、扉３２、底板３３、後横桟３４により、キャビネット３０は内部に収納空間３５を形成する箱状を呈している。洗面化粧台１の使用者は、扉３２を開閉することで、前方から収納空間３５にアプローチし、収納や取り出しを行うことができる。さらに、一対の側板３１Ｌ、３１Ｒの間であって、後横桟３４の下方且つ前方には、後横桟３４よりも厚みが小さい背板３６が設けられており、使用者が扉３２を開けた際に、収納空間３５を介して洗面室壁Ｗが見えないよう覆っている。
【００２８】
図２及び図３に示すように、水栓装置４０は立壁１１の前面に取付けられた棚形状のケーシング４１と、このケーシング４１の内部に収納され、一部のコード・配管類が立壁１１の背面に配設されている吐水ユニット４１０及び電動ユニット４２０と、を有している。
なお、吐水ユニット４１０は、ケーシング４１の外部に設けられていてもよい。
【００２９】
図３に示すように、吐水ユニット４１０において給水系統には、上流側から順に、給水源から給水配管４１１へ供給される水を遮断するための止水栓４１３と、吐水部４１８からの水の吐出、停止を切り換える水用電磁弁４１５と、水を吐水部４１８へ供給する給水配管４１１と、が設けられている。同様に、給湯系統には、上流側から順に、給水源である湯沸かし器（図示せず）等からの湯を遮断するための止水栓４１４と、吐水部４１８からの湯の吐出、停止を切り換える湯用電磁弁４１６と、湯を吐水部４１８へ供給する給湯配管４１２と、が設けられている。
なお、図３において実線は湯水の通り道を表しており、破線は電気又は電気信号の通り道を表している。
【００３０】
これらの給水系統及び給湯系統を通って夫々供給された水及び湯は、流調・温調バルブ
４１９を通過し、吐水部４１８からボウル１２へ向かって吐出される。
上記のように、流調・温調バルブ４１９は、操作ハンドル４１ａに連結された所謂「シングルレバー水栓」であり、操作ハンドル４１ａの操作により、給水系統及び給湯系統を通って供給された湯及び水を所定の割合で混合させると共に、混合された湯水の流出流量を調整することができる。
【００３１】
電動ユニット４２０は、人体検知センサ４２２と、コントローラ４２４と、を有している。
人体検知センサ４２２は、赤外線式のセンサであり、吐水部４１８に接近した手指等により反射された赤外線を検出して、手指等の接近を検知するように構成されている。接近センサとしては、赤外線式の他、マイクロ波式等、任意の非接触タイプのセンサを使用することができる。
【００３２】
水用電磁弁４１５及び湯用電磁弁４１６は、制御装置であるコントローラ４２４によって、開弁、閉弁が制御されるように構成されている。換言すると、コントローラ４２４は、人体検知センサ４２２が検知した被検知物の有無に基づいて、水用電磁弁４１５及び湯用電磁弁４１６の制御を行う。
【００３３】
本実施形態においては、コントローラ４２４は、マイクロプロセッサ、メモリ、インターフェイス回路、電磁弁の駆動回路、及びこれらを作動させるソフトウェア等（以上、図示せず）により構成されている。また、コントローラ４２４は、収納空間３５に収納されたＡＣ電源（図示せず）から電気配線４２４ａを介して供給される電力により作動される。
【００３４】
図４に示すように、カウンター１０の立壁１１の背面には、左右方向に延びる長方形状の金属板１１０が張り付けられている。
この金属板１１０には、ケーシング４１の内部に収納されたコントローラ４２４から立壁１１の背面に伸びる電気配線４２４aが通過する立壁１１の前面まで貫通した貫通孔１１０aと、ケーシング４１の内部に収納された吐水部４１８から立壁１１の背面へ伸びる給水配管４１１及び給湯配管４１２が通過する立壁１１の前面まで貫通した貫通孔１１０ｂが設けられている。
【００３５】
さらに、カウンター１０の立壁１１の背面側には、給水配管４１１及び給湯配管４１２を覆うように配管カバー部材５０と、が取り付けられている。配管カバー部材５０についての詳細な説明は後述する。また、電気配線４２４aは、配管カバー部材５０に覆われておらず、配管カバー部材５０の背面側を通過する。
【００３６】
次に、図４乃至５に基づいて、配管カバー部材５０の詳細構造について説明する。
【００３７】
図４及び図５に示すように、配管カバー部材５０は、配管カバー部材５０の上下に位置する個所が、それぞれ洗面洗面台１に取付けられている。
具体的には、配管カバー部材５０の上方領域には穴部（図示せず）が設けられており、金属板１１０に設けられたＬ字状の爪部（図示せず）に穴部を嵌め込むことで、配管カバー部材５０の上方領域は金属板１１０に取り付けられている（図４）。また、配管カバー部材５０の下方領域には、２か所のねじ用の穴が設けられており、配管カバー部材５０の下方領域は、ねじ６０にて後横桟３４の前面に仮止めされている（図５）。
上記のように洗面化粧台１に配管カバー部材５０を固定すると、配管カバー部材５０は、上方領域から下方領域へ向かうにつれて、前方側へ傾斜する形となる（図２）。
なお、配管カバー部材５０の下方領域は、背板３６の前面に仮止めしてもよい。
【００３８】
また、配管カバー部材５０は、１枚のポリプロピレン製のシートを折り込み線に沿って折り曲げること及び、シートの角部をシートに設けられた穴に嵌め込むことにより、組み立てられており、カバー部材として機能している。
そのため、射出成型などが不要であるとともに、可撓性を有し弾性変形する。
なお、配管カバー部材５０は、防水機能を備え且つ可撓性を有した素材であれば他の素材であっても代用可能である。
【００３９】
次に、図２及び図４乃至図８に基づいて、本発明の実施形態における洗面化粧台１の施工工程について説明する。
図６は、本発明の実施形態に係る洗面化粧台の吐水ユニット挿入中の断面図であり、図７は、本発明の実施形態に係る洗面化粧台の水栓装置挿入後の背面図であり、図８は、本発明の実施形態に係る洗面化粧台の配管カバー部材の背面斜視図である。
【００４０】
＜第１の工程＞
まず、図４乃至図５に示すように、カウンター１０の立壁１１の背面側に、配管カバー部材５０を取り付ける。具体的には、配管カバー部材５０の上方の穴部を金属板１１０の爪部に嵌め込み、配管カバー部材５０の下方を後横桟３４の前面にねじで仮固定する。
これらの取り付けは、洗面化粧台１の工場出荷時から予め取り付けておいてもよい。
【００４１】
＜第２の工程＞
次に、立壁１１に配管ガイド部材５０が取り付けられた状態の洗面化粧台１を移動させ、その背面を洗面室壁Ｗに当接させて設置する。
その際、配管カバー部材５０の背面側上方領域の一部は、洗面室壁Ｗの前面に当接する（図２）。
【００４２】
＜第３の工程＞
次に、図６に示すように、吐水ユニット４１０の給水配管４１１、給湯配管４１２、をそれらの端部に設けられた袋ナット４１１ａ、４１２ａから押し込むようにして貫通孔１１０ｂに挿入する。そして、給水配管４１１、給湯配管４１２、の端部が収納空間３５に届くように矢印Ｉの向きに押し込んでいく。
同様に、ケーシング４１から伸びる電気配線４２４ａも貫通孔１１０ａに挿入し、立壁１１の前面側から背面側に通す。
【００４３】
この第３の工程により、給水配管４１１及び給湯配管４１２を貫通孔１１０ｂに挿入すると、給水配管４１１及び給湯配管４１２は配管カバー部材５０に対しては前面側のみを通過する。
同様に、電気配線４２４ａを貫通孔１１０ａに挿入すると、電気配線４２４ａは下方に垂れ、配管カバー部材５０に対しては前面側を通過することなく背面右方側を通過する（図７）。
なお、この工程において電気配線４２４ａは、配管カバー部材５０に対して側方を通過してもよい。
【００４４】
＜第４の工程＞
次に、図８に示すように、配管カバー部材５０の下方を仮止めしたねじ６０から外し、配管カバー部材５０の下方側を矢印ＩＩの方向（前方）へ弾性変形させることより捲る。
そして、配管カバー部材５０背面側に位置していた電気配線４２４ａを収納空間３５へ通す。具体的には、配管カバー部材５０の背面右方側において下方に向かって垂れている電気配線４２４ａを後横桟３４の上面に乗せる形で、配管カバー部材５０の右方側から左方側へ通し、配管カバー部材５０の左側面を通過させ、収納空間３５へ導く。
その後、配管カバー部材５０の下方をねじ６０により固定する。
【００４５】
＜第５の工程＞
次に、キャビネット３０の収納空間３５に垂下している給水配管４１１と洗面室壁Ｗから伸びる給水管（図示せず）と接続する。また、給湯配管４１２と給湯機（図示せず）を接続する。同様に、キャビネット３０の収納空間３５に垂下している電気配線４２４ａとＡＣ電源７０と接続する。
【００４６】
この時、図２に示すように、配管カバー部材５０の背面に位置する電気配線４２４ａは後横桟３４の上面と配管カバー部材５０の背面と洗面室壁Ｗの前面とに囲まれた凹み空間Ｓに位置することになる。
凹み空間Ｓは、電気配線４２４ａを配管カバー部材５０の左右方向に通せるように、配管カバー部材５０の背面側下方領域の左右方向全域に渡って設けられている。換言すると、配管カバー部材５０の下方側領域は、左右方向全域に渡って洗面室壁Ｗに当接しない。
【００４７】
以上、説明したように、本実施形態に係る洗面化粧台１によれば、洗面化粧台１の前方から配管カバー部材５０を前後方向に捲ることができるので、例えば、配管設置業者が洗面化粧台１を背面が見えるように移動させることなく給水配管４１１及び給湯配管４１２や電気配線４２４ａを洗面化粧台１の前方から接続することができる。
また、配管カバー部材５０によって、給水配管４１１及び給湯配管４１２を貫通孔１１０ｂに挿入する際に給水配管４１１及び/又は給湯配管４１２の端部により洗面室壁Ｗが傷つかないようにカバーしつつ、電気配線４２４ａが漏電しないように給水配管４１１及び給湯配管４１２と、電気配線４２４ａとが異なる領域を通過するように区分けすることができる。
したがって、給水配管４１１及び給湯配管４１２と、電気配線４２４ａとが異なる領域を通過するようにしつつ、洗面化粧台１の前方から容易に電気配線４２４ａの取り回しをすることができる。
【００４８】
また、洗面化粧台１では、配管カバー部材５０は前方に向かって捲ることができるため、配管カバー部材５０と洗面室壁Ｗとの間に隙間を僅かしか確保できない状態であっても、電気配線４２４ａを取りまわすために、配管カバー部材５０を捲ることができる。
【００４９】
さらに、洗面化粧台１では、配管カバー部材５０の背面は、配管カバー部材５０を洗面室壁Ｗに当接させた際に、左右方向に渡って洗面室壁Ｗに当接しないよう構成された凹み空間Ｓを設けているため、例えば設置業者が洗面室壁Ｗと洗面化粧台１とが当接するように設置する際に、洗面室壁Ｗの前面と配管カバー部材５０の背面との間に電気配線４２４ａが挟まれることで、電気配線４２４ａが破損することを抑制することができる。
また、例えば設置業者が洗面室壁Ｗと洗面化粧台１とが当接するように設置し、配管カバー部材５０と洗面室壁Ｗとの間に隙間がないような場合においても、電気配線４２４ａを通すことができる
【００５０】
また、洗面化粧台１では、配管カバー部材５０は、第一の貫通孔１１０ｂに挿入された給水配管４１１及び給湯配管４１２が、配管カバー部材５０の前方を通過し、第二の貫通孔１１０ａに挿入された電気配線４２４ａが、配管カバー部材５０の側方及び/又は後方を通過するように構成しているため、立壁１１に形成されたそれぞれの貫通穴に給水配管４１１及び給湯配管４１２と電気配線４２４ａを挿入する際にも、給水配管４１１及び給湯配管４１２と電気配線４２４ａが配管カバー部材５０に対して異なる領域を通過するので、挿入時に給水配管４１１及び給湯配管４１２と電気配線４２４ａが干渉する恐れがなく、より施工が容易となる。
【００５１】
以上、本発明に係る洗面化粧台１の実施の形態について説明したが、本発明はこれらの実施の具体例に限定されるものではない。
本実施例においては、吐水ユニット４１０及び電動ユニット４２０は、水栓装置４０として、一体として構成されているが、例えば、電動ユニット４２０は照明装置であり、水栓装置４０とは別体で構成されていてもよい。
また、本実施例においては、貫通孔は、給水配管４１１及び給湯配管４１２と電気配線４２４ａと用に２っ設けられているが、貫通孔を共通化し第４の工程により、給水配管４１１及び給湯配管４１２と電気配線４２４ａとが配管カバー部材５０に対して異なる領域を通過するように調整してもよい。
【００５２】
また、これら具体例に、当業者が適宜設計変更を加えたものも、本発明の特徴を備えて
いる限り、本発明の範囲に包含される。例えば、前述した各具体例が備える各要素および
その配置、材料、条件、形状、サイズなどは、例示したものに限定されるわけではなく適
宜変更することができる。また、前述した各実施の形態が備える各要素は、技術的に可能
な限りにおいて組み合わせることができ、これらを組み合わせたものも本発明の特徴を含
む限り本発明の範囲に包含される。
【符号の説明】
【００５３】
１  洗面化粧台
１０  カウンター
１１  立壁
１１０  金属板
１１０ａ  貫通孔（第二の貫通孔）
１１０ｂ  貫通孔（第一の貫通孔）
１２  ボウル
１３  排水口
２０  化粧鏡ユニット
２１  化粧鏡
２２  照明
３０  キャビネット
３１Ｒ  右側板
３１Ｌ  左側板
３２  扉
３３  底板
３４  後横桟
３５  収納空間
３６  背板
４０  水栓装置
４１  ケーシング
４１ａ  操作ハンドル
４１０  吐水ユニット
４１１  給水配管
４１２  給湯配管
４１１ａ、４１２ａ  袋ナット
４１３、４１４  止水栓
４１５  水用電磁弁
４１６  湯用電磁弁
４１８  吐水部
４２０  電動ユニット
４２２  人体検知センサ
４２４  コントローラ
４２４ａ  電気配線
５０  配管カバー部材
６０  ねじ
７０  ＡＣ電源
Ｗ  洗面室壁
Ｆ  洗面室床
Ｓ  凹み空間
【図１】
2019063053.tif 000003
【図２】
2019063053.tif 000004
【図３】
2019063053.tif 000005
【図４】
2019063053.tif 000006
【図５】
2019063053.tif 000007
【図６】
2019063053.tif 000008
【図７】
2019063053.tif 000009
【図８】
2019063053.tif 000010